(57)【要約】【課題】遊技部材取付部に遊技球が停留せず下皿に貯まる構造としつつ、下皿と開閉部材下端との間の隙間から遊技者による不正行為ができ難くする。【解決手段】発射レール１１下部の床面７２を、遊技機前方へ下る傾斜面７３とし、下皿カバー体１２２に、落ちてきた遊技球を遊技球貯留部（１２１）に誘導する誘導傾斜面部１２８を設け、誘導傾斜面部の上面前端部に突出リブ１３０を形成するとともに、上皿保持枠４を閉じたときに、上皿保持枠４の下方後方部６４と前記床面７２の前方端から下方に延びた前面枠側当接面部７４との間に嵌合部６２を形成する。【選択図】　　　　図８
2004129725.tif 000002
【特許請求の範囲】
【請求項１】
外枠の一側に開閉自在に軸支される前面枠の前面側に開閉自在に設けられた開閉部材に発射装置に供給する遊技球を貯留可能な上皿が設けられているとともに、該上皿よりも下方に余剰球を貯留可能な下皿が設けられ、遊技球が打込まれる遊技領域の下方から遊技球を前記遊技領域に誘導するための発射レールが備えられている弾球遊技機であって、
前記発射レールが取付けられている壁面の下部から前方側に張り出した床面を、上方からこぼれ落ちてきた遊技球を前記弾球遊技機前方へ誘導するために前方へ向かって下り傾斜する傾斜面で構成し、
前記下皿は、遊技球を貯留するための遊技球貯留部と該遊技球貯留部の周囲を形成する下皿カバー体とを有し、該下皿カバー体には、前記傾斜面を転がって落下してきた遊技球を前記遊技球貯留部の方向に誘導するための誘導傾斜面部が設けられているとともに、前記誘導傾斜面部の前端部に、遊技球の前面側へのこぼれ落ちを防止するための立上り突部が形成され、
前記開閉部材を閉じたときに、該開閉部材の下方後方部と前記床面の前方端から下方に延びた前面枠側当接面部との間に嵌合部が形成されることを特徴とする、弾球遊技機。
【請求項２】
前記嵌合部が前記前面枠側当接面部に設けた前面枠側突出部と、前記開閉部材の下方後方部に設けた扉側突出部とで構成され、前記前面枠側突出部の下側に前記扉側突出部の上側が嵌合することを特徴とする、請求項１に記載の弾球遊技機。
【請求項３】
前記嵌合部が前記前面枠側当接面部に設けた前面枠側凹部と、前記開閉部材の下方後方部に設けた扉側凸部とで構成され、前記前面枠側凹部に前記扉側凸部が嵌まることで嵌合することを特徴とする、請求項１に記載の弾球遊技機。
【請求項４】
前記傾斜面の前部先端に下方に向けて段差を設けて前方に張り出し、該張り出した上面が前後方向に略水平な段差部を有することを特徴とする、請求項１〜３のいずれかに記載の弾球遊技機。
【請求項５】
前記段差部が前記嵌合部を兼ねる構成とすることを特徴とする、請求項４に記載の弾球遊技機。
【請求項６】
前記下皿カバー体の立上り突部の高さは遊技球の略１／２ないしそれより小さいことを特徴とする、請求項１〜５のいずれかに記載の弾球遊技機。
【発明の詳細な説明】
【０００１】
【発明の属する技術分野】
本発明は、パチンコ遊技機などで代表される弾球遊技機に関し、詳しくは、外枠の一側に開閉自在に軸支される前面枠の前面側に開閉自在に設けられた開閉部材に発射装置に供給する遊技球を貯留可能な上皿が設けられているとともに、該上皿よりも下方に余剰球を貯留可能な下皿が設けられ、遊技球が打込まれる遊技領域の下方から遊技球を前記遊技領域に誘導するための発射レールが備えられている弾球遊技機に関する。
【０００２】
【従来の技術】
前面枠の前面側に開閉自在に設けられた開閉部材に上皿が設けられているとともに、該上皿よりも下方に下皿が設けられ、遊技球が打込まれる遊技領域の下方から遊技球を前記遊技領域に誘導するための発射レールが備えられている従来の弾球遊技機において、開閉部材を開けたときに内部から遊技球がこぼれるなどして遊技機内部、例えば、発射レールなどが取付けられている遊技部材取付部の取付面下部に形成された下壁面など、本来遊技球が停留すべきでない個所に遊技球が停留してしまうことがあり、この状態で開閉部材を閉じると遊技部材取付部などの部材を変形させるなどして弾球遊技機に弊害をもたらすことがあるため、遊技部材取付部にこぼれ落ちた遊技球を遊技機外部へ誘導するための傾斜部が前記下壁面に形成されたものがあった（特許文献１）。
【０００３】
また、下皿は遊技球を貯留する皿主体と、該皿主体の外郭を形成する皿カバー体との組立体から構成され、皿カバー体の上部に落ちた球を皿本体に誘導するように、前記皿カバー体の上部に前記皿主体に向かって下り傾斜する傾斜面部を設けたものがあった。さらに、前記傾斜面部の前端側には、該傾斜面部よりも上方に突出した突起部を設け、皿カバー体の上部（傾斜面部）に落ちた遊技球が弾球遊技機の外部に零れ落ちてしまうことを防止するものがあった（特許文献２）。
【０００４】
【特許文献１】
特開２００２−１６６００４号公報
【０００５】
【特許文献２】
特開２００１−２９３２０２号公報
【０００６】
【発明が解決しようとする課題】
遊技機前面側の開閉部材を開けたとき、内部に球が残っていると、思わぬ所に球が入り込み、取り出すのに一苦労することがあるため、上述のように、遊技部材取付部にこぼれ落ちた遊技球を遊技機前方へ誘導するための傾斜部を遊技部材取付部下方の下壁面に形成し、かつ、下皿カバー体の上に落ちた遊技球が弾球遊技機の外部に零れ落ちてしまうことを防止するために、下皿カバー体の上面部に、遊技球貯留部に向かって下り傾斜する誘導傾斜面部を設けるとともに前記誘導傾斜面部の前端側には、該誘導傾斜面部よりも上方に突出した突起部を設けることが考えられる。
【０００７】
しかしながら、下皿カバー体の上面部に誘導傾斜面部を設けるために、開閉部材を前面枠（遊技機本体側）に閉じた状態でも、遊技球を貯留するためやや深くえぐられている凹み形状の遊技球貯留部から下皿カバー体の上面部に設けた誘導傾斜面部と開閉部材下端部との隙間に下皿カバー体中央より指が入り易くなる。さらに誘導傾斜面部の前端側に、該誘導傾斜面部よりも上方に突出した突起部を設けるために、開閉部材が開閉しようとするときに、この開閉部材下端が下皿カバー体の上方に突出した突起部側面に接触しないようにする必要があるため、開閉部材が閉じた状態で、開閉部材下端部分と下皿カバー体に設けた誘導傾斜面部のための凹みが深くなる分、下皿カバー体中央より指などがさらに入り易くなる。ここに指が入ると、開閉部材と前面枠（遊技機本体側）との隙間を拡げるために開閉部材の下端部を斜め上方に持ち上げるように力が加えられたり、下皿カバー体を下方に無理やり押し下げる力を加え易くなる。このように開閉部材の下方後方部と傾斜部を形成した前記下壁面の前方端から下方に延びた前面枠側当接面部との間に隙間が生じ易くなり、この隙間にピアノ線などを侵入させ、遊技領域への不正行為を遊技者が行ない易くなってしまった。即ち、遊技領域の大入賞口などの入賞口にピアノ線を引っ掛け、遊技球を入賞し易くしたり、入賞したかの様にセンサを操作するなどの不正行為である。また、遊技部材取付部にこぼれ落ちた遊技球を遊技機前方へ誘導するための傾斜部を遊技部材取付部下方の下壁面に形成したことで、開閉部材と前面枠（遊技機本体側）との隙間からの不正行為がさらに行ない易くなった。
【０００８】
本発明は、係る実情に鑑み考え出されたものであり、その目的は、開閉部材を開けたとき、内部に遊技球が残っていても、遊技球を遊技場ホール床面に散らばらせたり、遊技球が思わぬ所に入り込み、取り出すのに一苦労することがない様に、また、本来遊技球が停留すべきでない個所に遊技球が停留した状態で開閉部材を閉じ遊技部材取付部などの部材を損傷させるなどの弊害を防止するために、遊技球を遊技部材取付部近傍に滞留させることなく、落ちてくる遊技球を下皿に導き易くするとともに、隙間からピアノ線などを侵入させる遊技領域への不正行為を遊技者が行ない難くした弾球遊技機を提供することである。
【０００９】
【課題を解決するための手段の具体例およびその効果】
（１）　外枠の一側に開閉自在に軸支される前面枠（図１：３）の前面側に開閉自在に設けられた開閉部材（図１：上皿保持枠４）に発射装置に供給する遊技球を貯留可能な上皿（図２：上皿１９）が設けられているとともに、該上皿よりも下方に余剰球を貯留可能な下皿（図１：下皿２７）が設けられ、遊技球が打込まれる遊技領域（図５：遊技領域４１）の下方から遊技球を前記遊技領域に誘導するための発射レール（図１：１１）が備えられている弾球遊技機であって、
前記発射レールが取付けられている壁面（図１：７１）の下部から前方側に張り出した床面（図１：７２）を、上方からこぼれ落ちてきた遊技球を前記弾球遊技機前方へ誘導するための前方へ向かって下り傾斜する傾斜面（図１：７３）で構成し、
前記下皿は、遊技球を貯留するための遊技球貯留部（図１：１２１）と該遊技球貯留部の周囲を形成する下皿カバー体（図１：１２２）とを有し、該下皿カバー体には、前記傾斜面を転がって落下してきた遊技球を前記遊技球貯留部の方向に誘導するための誘導傾斜面部（図１：係合片１２７部分を含む誘導傾斜面部１２８）が設けられているとともに、前記誘導傾斜面部の前端部に、遊技球の前面側へのこぼれ落ちを防止するための立上り突部（図１：突出リブ１３０）が形成され、
前記開閉部材を閉じたときに、該開閉部材の下方後方部（図３：６４）と前記床面の前方端から下方に延びた前面枠側当接面部（図３：７４）との間に嵌合部（図３：６３）が形成される。
【００１０】
上記の構成によれば、発射レールが取付けられている壁面下部の床面に前方へ向かって下り傾斜する傾斜面が形成されているので、内部に球が残っているのに気がつかずに、弾球遊技機の開閉部材を開け、遊技球が壁面下部の床面にこぼれ落ちたとしても、それら遊技球のほとんどは内部に滞留することなく、弾球遊技機前方へ誘導される。このため、本来遊技球が停留すべきでない個所に遊技球が停留した状態で前記開閉部材を閉じ遊技機内部部材を損傷させることが極力防止できる。また、下皿は、遊技球貯留部の周囲を形成する下皿カバー体を有し、該下皿カバー体には、誘導傾斜面部が設けられているので、下皿カバー体の上に落ちてきたほとんどの遊技球は前記遊技球貯留部に向かって誘導傾斜面部を下り集められる。したがって遊技球が遊技場ホール床面に散らばることが少なくなり、煩わしい遊技球の回収作業をする必要が極力少なくなる。また、前記誘導傾斜面部の前端部には、上方に向けて突出する立上り突部を設けているために、下皿カバー体の上にころがり落ちてきた遊技球が慣性でさらに前方へ跳びだそうとしても、この立上り突部に当たり、下皿の前記遊技球貯留部に集め易くなる。さらに開閉部材を前面枠に閉じたときの嵌合部により、長尺物の侵入が阻止されるため、わずかな隙間からピアノ線などを挿入しようとしても困難になり不正行為ができ難くなる。
【００１１】
（２）　前記嵌合部が前記前面枠側当接面部に設けた前面枠側突出部（図３：７５）と、前記開閉部材の下方後方部に設けた扉側突出部（図３：６５）とで構成され、前記前面枠側突出部の下側に前記扉側突出部の上側が嵌合する。この構成によれば、扉側突出部の上側に前面枠側突出部の下側が嵌合しているため、不正行為ができ難くなっている。無理にピアノ線などを押し込めようとしても、前面枠側突出部に阻まれる。
【００１２】
（３）　前記嵌合部が前記前面枠側当接面部に設けた前面枠側凹部（図４：７８）と、前記開閉部材の下方後方部に設けた扉側凸部（図４：６８）とで構成され、前記前面枠側凹部に前記扉側凸部が嵌まることで嵌合する。したがって、無理にピアノ線などを押し込めようとしても、前面枠側凹部に阻まれ、不正行為ができ難くなっている。
【００１３】
（４）　前記傾斜面の前部先端に下方に向けて段差（図３：７６）を設けて前方に張り出し、該張り出した上面が前後方向に略水平な段差部（図３：７７）を有する。このため、こぼれ落ちた遊技球が発射レール下部の床面に形成された傾斜面により前面側にころがり落ちるが、段差の下方にある段差部に落ち、ころがり落ちる慣性が弱められ、スピードを減速させられる。したがってころがり落ちる遊技球が遠くへ跳ぶことなく、すぐ真下の下皿の遊技球貯留部ないしは下皿カバー体の上面部（誘導傾斜面部）へと誘導され易くなる。
【００１４】
（５）　前記段差部が前記嵌合部を兼ねる構成とする。この様な構成とすることで、遊技球の慣性を弱め、スピードを減速させ遊技球がすぐ真下の下皿へと誘導され易くするための段差部と前記開閉部材を前面枠に閉じたときの嵌合部を構成し不正行為ができ難くするための前記前面枠側当接面部に設けられる前面枠側突出部とを共通化することで、シンプルな構成にしつつ、両方の機能を享受できる。
【００１５】
（６）　前記下皿カバー体の立上り突部（図２：突出リブ１３０）の高さは遊技球の略１／２ないしそれより小さくする。この立上り突部の高さは高ければ高いほどころがり落ちてきた遊技球が慣性でさらに前方へ跳びだそうとするのを阻止する効果が上がる。しかし、高くなると開閉部材が開閉しようとするときに、この開閉部材の下端が下皿カバー体の上面端部に設けられた立上り突部側面に接触しないようにする必要があるため、開閉部材が閉じた状態で、開閉部材下端部分と下皿カバー体に設けた誘導傾斜面部のための凹みが深くなる分、下皿カバー体中央より指などが入り易くなり、わずかな隙間からでも、ピアノ線などを挿入して不正行為ができないかと狙っている遊技者に有利になる虞がでてくる。この欠点を回避し、かつ、遊技球が慣性でさらに前方へ跳びだそうとするのを阻止する効果を効率良く得ようとすると、立上り突部の高さを遊技球の略１／２ないしそれより小さくするのがよい。
【００１６】
【発明の実施の形態】
以下、図面を参照して、本発明の実施形態について説明する。図１は透明板保持枠７および上皿保持枠４を開放した状態の弾球遊技機の下部を示す斜視図、図２は弾球遊技機下部の側面図（一部断面）、図３は上皿保持枠４と前面枠３との嵌合部および前面枠３の傾斜面７３（床面７２）などの要部縦断面説明図、図４は同じく嵌合部の他の実施形態説明図、図５は弾球遊技機の正面図、図６は弾球遊技機に設けられる遊技盤の拡大正面図、図７は弾球遊技機の背面図、図８は前面枠３の傾斜面７３（床面７２）から下皿カバー体１２２上面（誘導傾斜面部１２８）の突出リブ１３０に至るまでの要部縦断面図、図９は下皿カバー体１２２の上面（誘導傾斜面部１２８）縦断面図、図１０は主基板と各種制御基板および電気部品との関係を示すブロック図、図１１は払出制御基板と各種制御基板および電気部品との関係を示すブロック図である。
【００１７】
まず、図５ないし図７を参照して実施形態に係る弾球遊技機１の全体の構成について説明する。弾球遊技機１は、図１、図５〜図７に示すように、縦長な方形状に枠組み形成される外枠２と、該外枠２の一側に開閉自在に軸支され且つ弾球遊技機１の主要構成部のほぼすべてが集約して設けられる前面枠３と、該前面枠３の前面上部に開閉自在に設けられる透明板保持枠７および上皿保持枠４とから構成されている。また、前面枠３に設けられる主要構成部としては、上記した透明板保持枠７、上皿１９を備えた上皿保持枠４、遊技盤４０、下皿２７、灰皿２９、操作ハンドル３０、機構板１００、発射装置８７がある。また、図示の実施形態では、弾球遊技機１の側方に遊技者に遊技球を貸し出すためのカードユニット装置３１が付設されている。なお、透明板保持枠７および上皿保持枠４は、それぞれ連結蝶番などで軸支され、前面枠３に開閉自在に取り付けられる。
【００１８】
透明板保持枠７には、後述する遊技盤４０の遊技領域４１をほぼ透視し得る円形透視窓５が開設され、該円形透視窓５の裏面から複層ガラス板が装着されている。また、透明板保持枠７の上側には、円形透視窓５の外周に沿って、装飾ランプ６、８が臨んでいる。この装飾ランプ６、８は、遊技状態に応じて点灯又は点滅されるものであり、特別の遊技状態の発生時や継続時を遊技者に報知すると共に遊技の雰囲気を盛り上げるものである。また、円形透視窓５の外周には、払い出すべく賞球が不足したこと（図１０の球切れスイッチ１１５が作動したとき）を報知する球切れランプ９や、入賞球の発生に基づいて所定個数の賞球が払い出されたことを報知する賞球ランプ１０が設けられ、更に、透明板保持枠７の上部左右に遊技の進行に応じた効果音を発生するスピーカ１２ａ，１２ｂが設けられている。
【００１９】
次に、上皿保持枠４に取り付けられる上皿１９の構成について説明すると、上皿１９は、図２に示すように、上皿主体１６および上皿カバー体１７の合成樹脂製部材を組合せることにより構成されている。上皿主体１６は、賞球を貯留する貯留部１８と、該貯留部１８に連通して賞球を一列に整列して前面枠３に取り付けられた発射レール１１の発射位置に導く整列部（図示しない）とが合成樹脂によって一体的に形成されたものである。整列部の底面には、流下する遊技球によって底面が摩耗しないように金属製の補強板（図示しない）が取り付けられていると共にその下流部に球抜き弁（図示しない）が設けられている。なお、補強板は、接続線および連結蝶番などを介して払出制御基板８０（図１１参照）に接続され、該払出制御基板８０に接続されるカードユニット装置３１から遊技球の静電気を放電するようになっている。また、上皿主体１６の裏面側には、上皿１９を上皿保持枠４に取り付けるための取付ボス（図示しない）と、球抜き弁によって球抜きされた遊技球を前面枠３に取り付けられる誘導ボックス部材１３（図１参照）の球抜き入口１４（図１参照）に導くための球抜き路（図示しない）とが形成されている。
【００２０】
また、上記した上皿保持枠４の開放側の上方には、球抜き操作レバー２１（図５参照）が設けられている。この球抜き操作レバー２１は、前記球抜き弁と連結して左右方向に移動可能に設けられ、図示しないスプリングの付勢力に抗して一方向に移動させることにより、上皿１９（貯留部１８）に貯留されていた遊技球を前記球抜き路および上皿保持枠４に形成された球抜き穴１５（図１参照）を流下させて下皿２７に誘導するものである。さらに、上皿１９には、弾球遊技機１に隣接して設けられるカードユニット装置３１を介して遊技球を借り受ける際に操作する操作部が設けられている。この操作部は、球貸スイッチ２４と返却スイッチ２５（図２参照）と表示ＬＥＤ（図示しない）が実装される残高表示基板２３（図１１参照）からなり、該残高表示基板２３が上皿１９の上面に臨むように設けられている。
【００２１】
球貸スイッチ２４は、カードユニット装置３１によって遊技球を借り受ける際に操作するものであり、返却スイッチ２５は、遊技終了の際にカードユニット装置３１のカード挿入口３４に差し込まれたカードを返却するためのものである。また、残高表示器は、カードユニット装置３１のカード挿入口３４に差し込まれたカードの残額が表示されるものである。なお、上皿１９に設けられる上記した球貸スイッチ２４、返却スイッチ２５、および表示ＬＥＤが実装される残高表示基板２３から延びる上皿配線は、前面枠３の軸支側の下部に形成される配線通し開口（図示しない）から前面枠３の裏側に引き出されて払出制御基板８０に接続されている。なお、上皿保持枠４の開放側末端は、前面枠３の前面側で前方に突出した錠用凸部２２となっており、この錠用凸部２２には、透明板保持枠７および上皿保持枠４を前面枠３に対して施錠し且つ前面枠３を外枠２に対して施錠する施錠装置８４（図７参照）を操作するためのシリンダー錠２６が臨んでいる。
【００２２】
また、前面枠３の下部に取り付けられる下皿２７は、前記上皿１９から溢れた賞球であって余剰球通路（図示しない）を介して接続樋９３（図７参照）から排出される余剰の賞球と発射レールより発射したが遊技領域に到達しないファール球とを貯留するものであり、その下皿２７の前面壁には、球抜き操作レバー２８がスライド可能に取り付けられるようになっている。この球抜き操作レバー２８を操作することにより、下皿２７に貯留されていた賞球を下方に球抜きして持ち運び可能な球箱に移し替えることができる。また、下皿２７の左側には、灰皿２９が設けられ、右側には、操作ハンドル３０が設けられている。操作ハンドル３０は、図７に示す発射装置８７の発射装置電動機８８（ステッピングモータ）の駆動を一時的に停止させるための単発発射スイッチ９１（図１１参照）および遊技者が操作ハンドル３０を触れていることを検知するタッチセンサ９２（図１１参照）を内蔵していると共に、弾発力を調節する指掛け部３０ａを備えるものである。
【００２３】
弾球遊技機１の正面構造は、概ね上記した通りであるが、図示の実施形態では、弾球遊技機１にカードユニット装置３１が隣接されている。このカードユニット装置３１は、前記上皿１９の上面に設けられる前述した球貸スイッチ２４や返却スイッチ２５などの操作部を操作することにより作動されるものである。しかして、カードユニット装置３１は、使用可能状態であるか否かを表示する使用可能表示器３２と、当該カードユニット装置３１がいずれの側の弾球遊技機１に対応しているか否かを表示する連結台方向表示器３３と、記録媒体としての磁気カードを挿入するカード挿入口３４とが設けられている。そして、このように構成されるカードユニット装置３１は、独自の制御回路によって制御されるものであるが、払出制御基板８０（図１１参照）とカードユニット配線３５（図７参照）を介して接続されている。
【００２４】
一方、弾球遊技機１の背面には、図７に示すように、入賞球の発生に基づいて所定個数の賞球を払い出すための各種の機構を装備した機構板１００が設けられると共に、前記操作ハンドル３０に対応する裏面には、発射装置電動機８８および打球槌（図示しない）を有する発射装置８７が固着され、その発射装置８７の側方には、機構板１００の余剰球通路から流下してきた遊技球を前記下皿２７に誘導する接続樋９３が固着され、更に、接続樋の側方に中継基板取付台９５が取り付けられ、外枠２に対する前面枠３の開放側裏面に外枠２の掛止片８５に対する前面枠３の施錠および前面枠３に対する透明板保持枠７および上皿保持枠４の施錠を行う施錠装置８４が設けられている。
【００２５】
上記した構成のうち、発射装置８７には、発射制御基板９０が付設されており、この発射制御基板９０によって発射装置８７が駆動制御されるようになっている。なお、発射制御基板９０は、発射制御基板ボックス８９内に収容されており、この発射制御基板ボックス８９から外部に露出している位置に設けられるコネクタを介して払出制御基板８０と接続されており、所定の状態となったときに払出制御基板８０から停止信号をうけて打球の発射を行えないようになっている。また、中継基板取付台９５には、枠用電飾中継基板９６と効果音中継基板９７と発射制御中継基板９８と発射制御電源中継基板９９とが所定の位置に取り付けられている。
【００２６】
以上で、弾球遊技機１の全体の概略構成を説明したが、以下、弾球遊技機１を構成する要素のうち、遊技盤４０と、機構板１００の詳細な構成について順次説明する。
【００２７】
まず、図６および図７を参照して遊技盤４０について説明する。遊技盤４０は、前面枠３の裏面側に一体的に形成される遊技盤収納枠部３６に収容固定されるべく、ほぼ正方形状の合板により形成され、その表面には、円形うず巻き状に誘導レール４２が取り付けられ、該誘導レール４２の内側が遊技領域４１とされて発射された打球が落下するものである。遊技領域４１には、図示の場合、特別可変表示装置４４、特別可変入賞球装置４８、普通可変入賞球装置５８などが設けられると共に、単に打球を入賞とする入賞口、打球の流下方向，速度を変化せしめる風車又は多数の障害釘が設けられ、また、遊技領域４１の最下方には、いずれの入賞領域にも入賞しない打球が取り込まれるアウト口６９が設けられている。
【００２８】
また、特別可変入賞球装置４８には、入賞球検出器５５ａ，５５ｂ（図１０参照）を内蔵する通常入賞口５４ａ，５４ｂや開閉板４９が開放していることを表示するアタッカーランプ５６や継続権が成立していることを表示する飾りランプ、および大当り遊技状態である旨を報知する飾りランプや飾りＬＥＤ５７が設けられている。また、遊技領域４１には、上記した構成以外に、それぞれに飾りランプおよび入賞球検出器を内蔵する入賞口６１ａ，６１ｂ、飾りランプ付き風車６６、サイド飾りランプを内蔵するサイド飾り６７などが設けられている。
【００２９】
以上、遊技盤４０の構成について詳細に説明してきたが、上記のように構成される遊技盤４０は、前面枠３の裏面側に形成される遊技盤収納枠部３６（図７参照）に収納固定されるようになっている。遊技盤収納枠部３６は、周知のように、ほぼ正方形状に構成される遊技盤４０を収容するように前面枠３の裏面に段差状に形成され、収容した遊技盤４０の裏面を押圧固定するための遊技盤係止レバー８６が遊技盤収納枠部３６の適宜箇所に取り付けられている。また、遊技盤収納枠部３６の下方部は、平板状の支持板となって遊技盤４０の下辺を載置するようになっており、その支持板のほぼ中央にアウト球を誘導するアウト球誘導通路（図示しない）が形成されている。また、遊技盤４０を遊技盤係止レバー８６によって収容固定した状態においては、その裏面から機構板１００が被覆されることとなるが、その機構板１００は、遊技盤収納枠部３６の一側側面に固定される軸受金具（図示しない）の上下に突設される軸ピンに機構板１００の一側に固定される軸支金具（図示しない）の掛止穴（図示しない）を係止することにより、開閉自在に軸支され、また、遊技盤収納枠部３６の適宜位置に植立される係止ピン（図示しない）と機構板１００に設けられる機構板係止レバー８２とを係合させることにより、機構板１００を閉じた状態で保持することができるようになっている。なお、機構板１００は、前面枠３に対して固定されて開閉できないものであってもよい。
【００３０】
次に、弾球遊技機１の背面に設けられる機構板１００の構成について図７を参照して説明する。図７において、機構板１００は、主として賞球を貯留する賞球タンク１０５と該賞球タンク１０５に貯留された賞球を下流側に整列しながら誘導する球整列レール部材１０８およびカーブレール部材１１１とが設けられる上部構成部と、カーブレール部材１１１からの遊技球を誘導する球通路１１４と入賞に基づく賞球を払い出す球払出装置１１６とが設けられる中間構成部と、主として遊技盤４０に打ち込まれた入賞球を含む打球を処理する処理機構が設けられる下部構成部と、が背面から見て開口窓１０２を構成するように機構板主体１０１上に一体的に形成されている。
【００３１】
次に、機構板１００の下部構成部について説明すると、下部構成部の後面側には、球払出装置１１６の下端より賞球通路１０３が形成され、該賞球通路１０３の下端に上皿連通口（図示しない）が形成されている。この上皿連通口は、弾球遊技機１の前面に設けられる上皿１９に賞球を導くものである。上皿連通口の一側側方には、余剰球通路が接続されている。しかして、入賞に基づく賞球が多数払い出されて上皿１９が賞球で満杯となり、遂には上皿連通口に到達してさらに賞球が払出続けられたときには、賞球は、余剰球通路に導かれ、その後、前記接続樋９３を介して前記下皿２７に排出される。そして、さらに賞球が払出続けられたときには、下皿２７も満杯になるが、余剰球通路の一側側壁に設けられた満タンスイッチ１０９（図１０参照）部分にまで到達すると、満タンスイッチ１０９がＯＮされて、球払出装置１１６の払出モータ１１８（図１１参照）の駆動を停止して賞球および貸球の払出動作を不能動化する。なお、上記した賞球通路１０３、球抜き通路１１２、および余剰球通路の後面は、下部通路カバー体１０４によって閉塞されている。
【００３２】
次に、前記下皿２７の構成について図１、図８、図９を参照して詳細に説明する。下皿２７は、図１に示すように、下皿セット板１２０と、該下皿セット板１２０の前面側に取り付けられる遊技球貯留部１２１と、該遊技球貯留部１２１の前面および左右を覆う下皿カバー体１２２と、から構成されている。下皿セット板１２０は、そのほぼ中央に余剰球出口１２３が形成され、その余剰球出口１２３の後方に余剰球誘導筒部１２４が後方に突出されている。この余剰球誘導筒部１２４は、前面枠３に開設される余剰球排出口（図示しない）を貫通して前記接続樋９３（図７参照）に接続されるものであり、余剰球誘導筒部１２４の両側には、接続樋９３の位置決めピン（図示しない）を差し込んで位置決めを行う位置決め穴（図示しない）が形成されている。また、余剰球出口１２３の周囲には、差し込み溝（図示しない）が形成され、この差し込み溝に遊技球貯留部１２１の後端に突設される差し込み突片（図示しない）が差し込まれて遊技球貯留部１２１を下皿セット板１２０に対して位置決めするようになっている。また、下皿セット板１２０の前面には、複数の取付嵌合ボス（図示しない）が突設されている。この取付嵌合ボスは、下皿カバー体１２２の嵌入ボス（図示しない）と対応させてビスで裏面から止着することにより、下皿セット板１２０と下皿カバー体１２２とを組み付けるものである。
【００３３】
上記した下皿セット板１２０の前方に取り付けられる遊技球貯留部１２１は、余剰球出口１２３から流出する賞球を貯留する貯留部を有するように後方が開放された凹状に形成され、その後端縁に沿って前記差し込み溝に嵌合される差し込み突片（図示しない）が突設されている。また、遊技球貯留部１２１の貯留部底面には、円形状の球抜き穴（図示しない）が開設され、その球抜き穴を遊技球貯留部１２１の裏面に取り付けられる球抜き弁（図示しない）によって開閉自在に閉塞されている。球抜き弁は、スプリングの付勢力により球抜き穴を閉塞するようになっているが、係合片（図示しない）をスプリングの付勢力に抗して移動させることにより、球抜き穴を開放して遊技球貯留部１２１の貯留部に貯留される賞球を下方に球抜きすることができる。なお、遊技球貯留部１２１は下皿カバー体１２２の裏面からビスで止着されている。
【００３４】
また、遊技球貯留部１２１の上端側方には、係合片１２７が側方に向かって突設され、下皿カバー体１２２を組み付けたときに係合片１２７が下皿カバー体１２２の後述する誘導傾斜面部１２８の下側と係合するようになっている（図９参照）。この係合片１２７は誘導傾斜面部１２８とともに本発明の誘導傾斜面部を形成している。なお、このように遊技球貯留部１２１の係合片１２７と下皿カバー体１２２の誘導傾斜面部１２８との２つの部材で本発明の誘導傾斜面部を形成せずとも、遊技球貯留部１２１の上端側方に側方に向かって突設された本発明の誘導傾斜面部を直接一体として、遊技球貯留部１２１に設けることもできる。更に、遊技球貯留部１２１の上端前面には、当接鍔部１２５が前方に向かって突設され、下皿カバー体１２２を組み付けたときに下皿カバー体１２２の後述する当接載置部１２６に載置するようになっている。
【００３５】
上記のように球抜き弁（図示しない）が装着された遊技球貯留部１２１の前方および側方を覆うように下皿カバー体１２２が組み付けられる。下皿カバー体１２２は、前記遊技球貯留部１２１の前方および下部を覆うように前方に膨出状に突出している。
【００３６】
遊技球貯留部１２１が収納される膨出部の下方には、球抜き弁収納箱（図示しない）が貫通される長方形状の開口（図示しない）が開設されると共に膨出部の前面には、レバー用開口（図示しない）が開設され、球抜き操作レバー２８は、断面コ字状に形成されるレバー収納部材（図示しない）に収納されて下皿カバー体１２２の膨出部前面壁との間で挟持されて取り付けられる。上記のようにして予め球抜き操作レバー２８を下皿カバー体１２２の膨出部前面壁の裏側に装着した状態において、上皿主体１２１を斜め上方から球抜き弁収納箱が開口に貫通するように入れる。
【００３７】
球抜き操作レバー２８の指掛部１２９に指を掛けて図１の左側方向にスライドさせることにより、係合片（図示しない）が係合して球抜き弁（図示しない）をスプリングの付勢力に抗して移動させ球抜き穴を開放する。一方、指掛部１２９から指を離すとスプリングの付勢力により球抜き弁（図示しない）が球抜き穴を閉塞すると共に球抜き操作レバー２８を右側に移動させる。ただし、このとき遊技者がコイン挿入溝（図示しない）およびコイン挿通溝（図示しない）に硬貨（例えば、１００円玉でも５００円玉でもよい）を差し込むと、硬貨とレバー用開口の側壁とが当接して球抜き弁および球抜き操作レバー２８を元の位置まで戻すことができないので、球抜き操作レバー２８から手を離した状態でも球抜き穴の一部が開放したままとなって貯留されている賞球を球抜き穴から下方に落下させることができる。
【００３８】
また、下皿カバー体１２２の遊技球貯留部１２１取付位置の両サイド上部は、誘導傾斜面部１２８を構成し、また、遊技球貯留部１２１の取付位置である膨出状凹部の円弧状上端は、当接載置部１２６を構成しており、それぞれ遊技球貯留部１２１を組み付けたときに前記係合片１２７が誘導傾斜面部１２８の下方に係合して本発明の誘導傾斜面部を形成し、前記当接鍔部１２５を当接載置部１２６に載置するようになっている。また、膨出状凹部の内側には、前記取付嵌合ボスと嵌合当接する嵌入ボスが後方に向かって突設されている。しかして、遊技球貯留部１２１を下皿カバー体１２２に組み付けた後に、下皿セット板１２０を後方からあてがって取付嵌合ボスと嵌入ボスとを一致させ、下皿セット板１２０の後方からビスを止着することにより、下皿２７の組付けを完成することができる。
【００３９】
ところで、上記した下皿カバー体１２２の誘導傾斜面部１２８は、前記図１のＸ−Ｘ’線断面図となる図９に示すように、遊技球貯留部１２１に向かって若干の角度θを持って下り傾斜して形成されている。この角度θは誘導傾斜面部１２８にこぼれ落ちた遊技球Ｂが少なくとも自然に転がり落ちる角度としている。
【００４０】
また、誘導傾斜面部１２８の前端部分および側端部分には、図９および前記図１のＹ−Ｙ’線断面図となる図８に示すように、上方に若干突出した突出リブ１３０が形成される一方、誘導傾斜面部１２８の後端側には、前面枠３の前面壁７９が誘導傾斜面部１２８よりも上方に突出した状態で配置されている。このため、下皿カバー体１２２の上部（誘導傾斜面部１２８）に落ちた遊技球Ｂは、誘導傾斜面部１２８の誘導（誘導傾斜面部１２８上を転がり動くこと）によって遊技球貯留部１２１に送り込まれるので、煩わしい遊技球Ｂの回収作業をする必要が極力少なくなる。即ち、図１に示すように、透明板保持枠７および上皿保持枠４を開放した状態において、遊技領域４１を落下する遊技球などが誘導傾斜面部１２８に載りこれが下皿２７の遊技球貯留部１２１に誘導される。また、このような誘導傾斜面部１２８による遊技球Ｂの誘導において、誘導傾斜面部１２８の前端側および側端側には突出リブ１３０を設けたので、下皿カバー体１２２の上部（誘導傾斜面部１２８）に落ちた遊技球Ｂが弾球遊技機１の外部に零れ落ちてしまうことを確実に防止することができ、然も誘導傾斜面部１２８の後端側には前面壁７９を設けたので、下皿カバー体１２２の上部（誘導傾斜面部１２８）に落ちた遊技球Ｂが弾球遊技機１の内部に入り込んでしまうことを確実に防止することができる。
【００４１】
また、下皿カバー体１２２の両サイドには、前記灰皿２９と操作ハンドル３０とが組み付けられるようになっている。灰皿２９は回転軸で回転自在に設けられているので、灰皿２９の内部に溜った吸い殻を回転させることにより、簡単に取り除くことができる。この回転軸を片側のみで支持する構造なので、取り付け易く且つ灰皿２９の配置をできるかぎり外側にすることができるので、下皿の幅を大きくできて灰皿を利用しやすい位置に取り付けることができる。
【００４２】
下皿カバー体１２２の両サイドに組み付けられる灰皿２９、操作ハンドル３０および遊技球貯留部１２１，下皿セット板１２０が組み付けられた下皿２７は、下皿セット板１２０の後面に突設される図示しない取付ボスと下皿カバー体１２２の後面側に突設される取付ボスとを前面枠３に開設される装飾板取付穴（図示しない）に嵌合して裏面からビスを止着することにより、下皿２７を前面枠３の下部前面に取付固定することができる。
【００４３】
次に、図１〜図４を参照して、本発明の発射レール１１を取り付けた前面枠３の壁面７１下部の床面７２にこぼれ落ちた遊技球Ｂを弾球遊技機１の前方へ誘導する傾斜面７３からなる床面７２の構成と、上皿保持枠４を前面枠３に閉じたとき上皿保持枠４の下方後方部６４とこの下方後方部６４が当接する前面枠３の床面７２の前方端から下方に延びた前面枠３の前面枠側当接面部７４との嵌合部６２、６３の構成について説明する。なお、この嵌合部６２、６３は、上皿保持枠４を前面枠３に閉じた状態でも、遊技球を貯留する凹み形状の遊技球貯留部１２１から下皿カバー体１２２の上面部に設けた係合片１２７部分を含む誘導傾斜面部１２８と上皿保持枠４の下端部との間に空間ができても遊技者に不正行為を起こさせ難い弾球遊技機となし得る本発明の主要部である。
【００４４】
図３，図４は要部断面を拡大し、わかりやすいようにした説明用図面である。図３において、遊技領域４１を備えた遊技盤４０の下方の遊技部材取付部７０は、発射レール１１などの取付面となる前面枠３の壁面７１とこの壁面７１の下部から弾球遊技機１の前方側に張り出した床面７２とから構成される。床面７２は遊技機前面側に遊技球Ｂを誘導する傾斜面７３で構成されている。傾斜面７３の傾斜角度は、上皿保持枠４の開放時に傾斜面７３（床面７２）にこぼれ落ちた遊技球Ｂが少なくとも自然に転がり落ちる角度としている。また、傾斜面７３の前部先端には下方に向けて段差７６を設け、加えて前方に張り出した上面が前後方向に略水平な段差部７７を設けている。これはこぼれ落ちた遊技球Ｂが発射レール１１下部の床面７２に形成された傾斜面７３により遊技機前面側にころがり落ち、段差７６の下方にある段差部７７に落ちる。傾斜面７３のため、質量の大きい遊技球Ｂは転がり落ちる慣性がついているが段差部７７は前後方向に水平であるため、段差部７７上に落ちた遊技球Ｂは前方へ跳び出そうとする慣性が弱められ、スピードも減速させられる。したがってころがり落ちる遊技球Ｂが遠くへ跳ぶことなく、すぐ真下にある下皿２７の遊技球貯留部１２１ないし下皿の上面部となる下皿カバー体１２２の上に落下するようになる。誘導傾斜面部１２８となっている下皿カバー体１２２の上部に落ちた遊技球Ｂは、誘導傾斜面部１２８の上を転がり遊技球貯留部１２１に送り込まれる。
【００４５】
上皿保持枠４の下方後方部６４には扉側突出部６５が、他方の前面枠側当接面部７４には前面枠側突出部７５がそれぞれ設けられている。上皿保持枠４が前面枠３に閉じるときに、前面枠側突出部７５の下面と扉側突出部６５の上面が嵌合する嵌合部６３が構成されている。したがって、上皿保持枠４が前面枠３に閉じられたとき上皿保持枠４の下方後方部６４は床面７２の前方端から下方に延びた前面枠３の前面枠側当接面部７４と当接する。なお、前面枠側突出部７５、扉側突出部６５はともに水平状である。前面枠側突出部７５と扉側突出部６５とが重なり合った嵌合部６３のため、上皿保持枠４の下方より、隙間にピアノ線などを挿入し仮に不正行為を行なおうとしても、ピアノ線は前面枠側突出部７５に阻まれ直進できず、挿入が困難になる。また、前面枠側突出部７５の下面と扉側突出部６５の上面が嵌まり合う有効長Ｌ１は、遊技者が無理に上皿保持枠４を遊技機前面側にこじ開けようとしても、充分な長さが確保できるように配慮されている。もっとも透明板保持枠７および上皿保持枠４が前面枠３に閉じた状態では、係合機構（図示しない）でロックされているため、この係合機構を解かない限り簡単に動くものではない。
【００４６】
なお、本発明における、嵌合部、嵌合する、の嵌合とは、たとえば部材を固定するときにぴったりと密接させて圧入させるようにほとんど隙間がないものだけではなく、前面枠３に上皿保持枠４を閉じたときに前面枠側突出部７５と扉側突出部６５とが重なり合った状態を含む嵌め合いをいい、その嵌合部の隙間からたとえば薄い鉄片などを挿入させ得たとしても、挿入された隙間の先には直交する部分を有しているため、そのまま挿入し難い状態となっているものをいう。
【００４７】
図３においては前面枠側当接面部７４に設けられた前面枠側突出部７５と傾斜面７３の前部先端下方の段差部７７とを共通化している。一方の前面枠側突出部７５は上皿保持枠４が前面枠３に閉じるときの嵌合部６３を構成し、不正行為ができ難くするためのものである。他方の段差部７７は遊技球Ｂが前方へ跳びだそうとする慣性を弱め、スピードも減速させるためのものである。これらを共通化することで、シンプルな構成にしつつ、両方の機能を享受している。もちろん前面枠側突出部７５と段差部７７とをそれぞれ設けてもよいことはいうまでもない。この場合はそれぞれの設計上の自由度が大きくなる特長がある。
【００４８】
図４により、他の実施形態の嵌合部６２について説明する。上皿保持枠４の下方後方部６４に扉側凸部６８を、前面枠３の当接面部７４側に前面枠側凹部７８を設け、上皿保持枠４が前面枠３に閉じたとき、この扉側凸部６８が前面枠側凹部７８に嵌め込まれる。扉側凸部６８が前面枠側凹部７８に嵌め込まれている有効長Ｌ２は、遊技者が無理に上皿保持枠４を遊技機前面側にこじ開けようとしても、充分な長さが確保できるように配慮されている。
【００４９】
このように嵌合部６２では、扉側凸部６８が前面枠側凹部７８に嵌め込まれているため、嵌合部６２の下方から、隙間にピアノ線などを挿入し仮に不正行為を行なおうとしても、ピアノ線は扉側凸部６８か前面枠側凹部７８に阻まれ直進できず、挿入が困難になる。なお、図４においても、前面枠３の壁面７１の下部から弾球遊技機１の前方側に張り出した床面７２は遊技機前面側に遊技球Ｂを誘導する傾斜面７３で構成されている。傾斜面７３の前部先端には下方に向けて段差７６を設けて前方に張り出した、上面が前後方向に略水平な段差部７７を設けている。傾斜面７３よりころがり落ちてきた遊技球Ｂは段差部７７に落ちることで、遊技球Ｂの前方へ跳びだそうとする慣性が弱められ、スピードも減速させられる。図４において、段差部７７の下面から扉側凸部６８上面までの上下距離Ｌ０は適宜決めることができる。上下距離Ｌ０を０にすると段差部７７の下面と扉側凸部６８上面との嵌合部分が長くなり、また、段差部７７の前後方向の長さ分だけ、扉側凸部６８の遊技機前後方向の長さ（たとえばＬ２）を短くすることも可能となる。また、上下距離Ｌ０の分だけ段差部７７の厚み（上下方向の厚み寸法）を厚くする方法もある。
【００５０】
次に、突出リブ１３０の高さＬ６について、図８を用いて説明する。前述したように、突出リブ１３０の高さＬ６は高ければ高い程、遊技球Ｂの跳びだしを抑える機能を発揮できるが、上皿保持枠４を開閉できるようにする必要があるため、誘導傾斜面部１２８と上皿保持枠４の下端部との隙間が大きくなり、遊技球を貯留する遊技球貯留部１２１から誘導傾斜面部１２８と上皿保持枠４の下端部との隙間に下皿カバー体１２２の中央より指が入り易くなる。ここから指を入れ無理に力を加えると不正行為ができるのではないかとの誘惑さえも与えることになりかねない。本発明はそのために嵌合部６２、６３を設け不正行為ができ難くしているのであるが、遊技者へのあらぬ誘惑は好ましくないため、突出リブ１３０の高さＬ６はできるだけ低くする必要がある。
【００５１】
図８において、誘導傾斜面部１２８の前端側などの突出リブ１３０が、その所定の機能（遊技球Ｂが下皿カバー体１２２より外部へ跳びださないこと）を発揮するために要求される、突出リブ１３０の高さＬ６の下限値は、遊技球Ｂが転がり落ちる慣性がどの程度まで低められるかに係っている。
【００５２】
すなわち、床面７２の傾斜面７３で遊技球Ｂが転がり始める傾斜面７３の傾斜角度αとその前後の長さＬ７、遊技球が落ちて段差部７７に当たるまでの段差７６の高さＬ４、前後方向に略水平面となっている段差部７７の前後の長さＬ３、さらに遊技球が落下する段差部７７先端上面から下皿カバー体１２２の誘導傾斜面部１２８上面までの高さＬ５、前面枠３の前面壁７９から誘導傾斜面部１２８の前面端部までの長さＬ８および遊技球貯留部１２１に向かって付けられた若干の角度θ（図９参照）などが関係してくる。
【００５３】
このため、上記の具体的な数値が決まらないと突出リブ１３０の高さＬ６は決定し難い。その最大要因である傾斜面７３（床面７２）の傾斜角度αを遊技球Ｂが自然に転がる最低限の角度に近付けると、突出リブ１３０の高さＬ６を低くしても遊技球Ｂが下皿カバー体１２２の上部から跳びださない機能を果たすことができる。上記を勘案して、突出リブ１３０の高さＬ６は遊技球Ｂの直径の約１／２から１／４程度にした。
【００５４】
上記のように発射レール１１などの取付けられた遊技部材取付部７０にこぼれ落ちた遊技球Ｂを遊技部材取付部７０の前方へ誘導するための傾斜面７３が形成された構成とすると、遊技部材取付部７０にこぼれ落ちた遊技球Ｂが遊技部材取付部７０に停留することなく傾斜面７３の上を遊技球Ｂが転がって遊技部材取付部７０の前面側へ誘導できる。このため、例えば遊技部材取付部７０に遊技球Ｂが停留したまま上皿保持枠４を閉じることが原因となる弾球遊技機の故障を極力防止できる。
【００５５】
遊技球Ｂは質量が大きいため、転がり落ちる慣性も大きくなる。上皿保持枠４を開けたとき、遊技機内部から遊技球Ｂが勢い良く前面に跳びだすと、下方の下皿２７の上部を跳び越え遊技場ホール床面にまで跳び散っていくことも考えられる。この対策として傾斜面７３の傾斜角度αを小さくし、傾斜面７３前部先端に下方に向けて段差７６を設けて前方に張り出し、上面が前後方向に略水平な段差部７７を設けている。転がり落ちる慣性がついている遊技球Ｂは、この段差部７７に落ち、前方へ跳び出そうとする慣性が弱められ、スピードも減速させられる。したがってころがり落ちる遊技球Ｂが遠くへ跳ぶことなく、すぐ真下の下皿２７の球貯留部となる遊技球貯留部１２１ないし下皿の上面部となる下皿カバー体１２２の上に落下するようになる。下皿カバー体１２２の上部は誘導傾斜面部１２８となっているため、下皿カバー体１２２の上部に落ちた遊技球Ｂは、誘導傾斜面部１２８の上を転がり遊技球貯留部１２１に送り込まれる。このためには各所の寸法、角度を適宜選択する必要があるが、とりわけ誘導傾斜面部１２８の前端側などの突出リブ１３０の高さＬ６は遊技球Ｂの直径の約１／２から１／４位にするのが望ましい。
【００５６】
なお図示していないが、例えば、前記床面７２は単に遊技機前面側に傾斜させるのみではなく、遊技機前方から見て左右の床面７２の高さが中央部よりも幾分高くなるように、つまり左右両端から中央にかけて下るような傾斜面をも設けることができる。この場合、遊技部材取付部７０にこぼれ落ちた遊技球Ｂが遊技部材取付部７０に停留することなく傾斜部７３の上を遊技球Ｂが前方に転がりつつ、遊技機中央にも向けて転がる。したがって下皿２７に落ちるにしても、左右の下皿カバー体１２２の誘導傾斜面部１２８上面より、遊技球貯溜部となる中央部の遊技球貯留部１２１に送り込まれることが多くなる。
【００５７】
さらには、床面７２の傾斜面７３を左右両端では中央部に向かっては下り傾斜しているものの、前後方向は水平にし、中央に近づくにしたがい前方への下り傾斜を次第に強くつけるようにして、遊技球Ｂをより中央下部の遊技球貯留部１２１の遊技球貯留部に転がり落ちるようにすることもできる。
【００５８】
また、前記床面７２の傾斜面７３に限ることなく、前記遊技部材取付部７０のうち通常時には遊技球Ｂが進入すべきでない個所にも遊技機前方への傾斜面を形成して、遊技部材取付部７０のうち通常時に遊技球Ｂが進入すべきでない個所に形成された傾斜面（図示しない）によって、遊技部材取付部７０内にこぼれ落ちた遊技球Ｂが遊技部材取付部７０に停留することなく傾斜面の上を遊技球Ｂが転がって遊技部材取付部７０の前方外部へ排出できるため、たとえば遊技部材取付部７０に停留した遊技球Ｂが原因となる弾球遊技機の故障を極力防止することができる。
【００５９】
また、上皿保持枠４の前面には遊技球貯留部となる上皿１９が備えられ、この上皿１９に賞球を導く上皿連通口（図示しない）が形成されている。この上皿連通口は機構板１００の球払出装置１１６の下端より賞球通路１０３が形成され、該賞球通路１０３の下端に形成されている。上皿保持枠４が開けられると、遊技機本体の前面枠３側に設けられている上皿連通口と上皿１９とは非連通となる。したがって、上皿１９の球貯留部から上皿連通口の奥まで遊技球が一杯停留している場合などに上皿保持枠４が開けられると、遊技部材取付部７０には上皿連通口に停留している球がこぼれ落ちることがある。上記この発明の構成としてこぼれ落ちた遊技球Ｂが床面７２に停留することがなく、遊技機前方へ排出できる。したがって、上皿保持枠４を閉鎖時に遊技部材取付部７０、球供給装置などや、その他の部材を変形させることは極力少なくなり、たとえば遊技部材取付部７０に停留した遊技球が原因となる弾球遊技機の故障を極力防止できる。
【００６０】
なお、上記した実施形態では、透明板保持枠７と上皿１９を備えた上皿保持枠４とが別体のものを例示しているが、これに限らず透明板保持枠７と上皿１９を備えた上皿保持枠４とが一体となった構成のものであってもよい。透明板保持枠７と上皿１９を備えた上皿保持枠４とを一体的に構成した場合には、弾球遊技機の前面意匠に統一感を持たせることができ、意匠性が向上できる。また、下皿カバー体１２２の誘導傾斜面部１２８よりも上方に突出した突出リブ１３０は、誘導傾斜面部１２８の外周端部に連続的に形成されたものに限らず、間欠的に形成されたものであってもよい。さらには誘導傾斜面部１２８の外周端部全てに（全周に亘って）形成されたものでも、一部分のみに形成されたものであってもよい。また、突出リブ１３０は、誘導傾斜面部１２８とは別体に形成されたものであってもよい。
【００６１】
また、透明板保持枠７を開放したことを検出するためにドアスイッチが設けられることがあるが、このようにドアスイッチを設けた場合には、ドアスイッチの配線は、枠用スイッチ中継基板８１（図１０参照）に一旦接続された後、主基板３７に入力され、主基板３７からの情報信号に基づいて電飾制御基板９４によって一部又は全部の装飾ランプ６、８を点灯制御されることにより透明板保持枠７および上皿保持枠４が開放されたことを報知すればよい。また、カードユニット装置３１を弾球遊技機１に内蔵してもよい。また、本実施形態においては、遊技者に遊技球を貸し出すためのユニット装置としてカードユニット装置３１を例示したが、例えば、紙幣などを挿入し得るユニット装置であってもよい。
【００６２】
以上の実施形態を示したが、この発明はこの形態に限定されるものではなく、この発明の要旨を逸脱しない範囲で、様々な形態を実施しうるものである。実施形態では、遊技部材取付部７０にこぼれた遊技球Ｂが停留しにくくするために床面７２に傾斜面７３を形成してあるが、特に場所は上記の個所に限定されるものではなく、遊技球Ｂが停留する個所に適用することができる。遊技部取付部７０内に遊技球Ｂが停留しないようにするのは、上記実施形態に限られるものではない。
【００６３】
なお、本発明の範囲は上記した説明ではなく特許請求の範囲によって示され、特許請求の範囲と均等の意味および範囲内でのすべての変更が含まれることが意図される。
【図面の簡単な説明】
【図１】透明板保持枠７および上皿保持枠４を開放した状態の弾球遊技機の下部を示す斜視図である。
【図２】弾球遊技機の下部を示す一部の断面を含む側面図である。
【図３】上皿保持枠４と前面枠３との嵌合部および前面枠３の傾斜面７３（床面７２）などの要部縦断面を拡大し、わかりやすいようにした説明図である。
【図４】同じく嵌合部の他の実施形態説明図である。
【図５】弾球遊技機の正面図である。
【図６】弾球遊技機に設けられる遊技盤の拡大正面図である。
【図７】弾球遊技機の背面図である。
【図８】前面枠３の傾斜面７３（床面７２）から下皿カバー体１２２上面（誘導傾斜面部１２８）の突出リブ１３０に至るまでの要部縦断面図である。
【図９】下皿カバー体１２２の上面（誘導傾斜面部１２８）縦断面図である。
【図１０】主基板と各種制御基板および電気部品との関係を示すブロック図である。
【図１１】払出制御基板と各種制御基板および電気部品との関係を示すブロック図である。
【符号の説明】
１　弾球遊技機、３　前面枠、４　上皿保持枠（開閉部材）、１１　発射レール、１９　上皿、２７　下皿、４０　遊技盤、４１　遊技領域、４４　特別可変表示装置、６２，６３　嵌合部、６５　扉側突出部、６８　扉側凸部、７１　壁面、７２　床面、７３　傾斜面、７４　前面枠側当接面部、７５　前面枠側突出部、７６　段差、７７　段差部、７８　前面枠側凹部、１００　機構板、１２１遊技球貯留部、１２２　下皿カバー体、１２８　誘導傾斜面部、１３０　突出リブ（立上り突部）。
【図１】
2004129725.tif 000003
【図２】
2004129725.tif 000004
【図３】
2004129725.tif 000005
【図４】
2004129725.tif 000006
【図５】
2004129725.tif 000007
【図６】
2004129725.tif 000008
【図７】
2004129725.tif 000009
【図８】
2004129725.tif 000010
【図９】
2004129725.tif 000011
【図１０】
2004129725.tif 000012
【図１１】
2004129725.tif 000013